Podtech/llm-jp-corpus-v4-ja_patent huggingface dataset:
【手続補正書】
【提出日】平成21年8月18日(2009.8.18)
【手続補正１】
【補正対象書類名】特許請求の範囲
【補正対象項目名】全文
【補正方法】変更
【補正の内容】
【特許請求の範囲】
【請求項１】
複数の基本意識モジュールＳｂを組み合わせて構成される意識システムＳであって、
前記基本意識モジュールＳｂは、入出力端子を複数個持つ再帰型の人工神経回路網であり、
前記基本意識モジュールＳｂは、人工の神経細胞群Ｎを同期して発火させる１つの主たる情報循環路ｃ１と、少なくとも１つの副なる情報循環路ｃ２と、少なくとも１つの単純入力部ａ”よりなり、
前記情報循環路ｃ１と前記情報循環路ｃ２は、それぞれが少なくとも１つの入出力部の組（ａ，ｂ）、（ａ’，ｂ’）を持ち、その入出力部はそれぞれが１つ以上の端子で構成され、前記単純入力部ａ”と共に、他の既存システムあるいは他の前記基本意識モジュールＳｂに対する入出力情報を入出力し、
前記基本意識モジュールＳｂは、主たる前記情報循環路ｃ１における入出力端子の組（ａ，ｂ）のそれぞれの情報￣ａ，￣ｂが他の入出力端子の情報に対して一致するように学習Ｌされ、
前記基本意識モジュールＳｂの主たる前記情報循環路ｃ１における入力部ａの情報￣ａは、他の前記基本意識モジュールＳｂからの新たな情報￣ａ１とその時点での前記基本意識モジュールＳｂの出力部ｂの情報￣ｂとから所定の演算を行って決定され、前記￣ａ１がある特別な情報である場合には、前記入力部ａの情報￣ａは、前記出力部ｂの情報￣ｂがそのまま転写され、
前記基本意識モジュールＳｂにおける副たる前記情報循環路ｃ２の出力部ｂ’の情報￣ｂ’は、絶えず副たる前記情報循環路ｃ２の入力部ａ’へその情報を伝える、
ことを特徴とする意識システム。
【請求項２】
請求項１記載の意識システムＳにおいて、
前記基本意識モジュールＳｂは、主たる前記情報循環路ｃ１の入力部ａの情報が特定な情報であれば前記基本意識モジュールＳｂにおける前記情報循環路ｃ１以外の情報循環路における全ての出力部からの出力情報￣ｂ’を他の既存のシステムや他の前記基本意識モジュールＳｂへ出力することを抑制するように学習される、
ことを特徴とする意識システム。
【請求項３】
請求項１または請求項２記載の意識システムＳにおいて、
前記基本意識モジュールＳｂにおける主たる前記情報循環路ｃ１の出力情報￣ｂは、少なくとも１つの他の前記基本意識モジュールＳｂにおける前記単純入力部ａ”、あるいは少なくとも１つの他の前記基本意識モジュールＳｂにおける副たる前記情報循環路ｃ２の入力部ａ’に伝えられる、
ことを特徴とする意識システム。
【請求項４】
請求項１から請求項３までのいずれか１項に記載の意識システムＳにおいて、
前記基本意識モジュールＳｂにおける副たる前記情報循環路ｃ２の出力情報￣ｂ’は、出力の抑制を受けていなければ少なくとも１つの他の前記基本意識モジュールＳｂにおける主たる前記情報循環路ｃ１の入力部ａに伝えられるか、あるいは少なくとも１つの他の既存システムである駆動装置ｍに伝えられる、
ことを特徴とする意識システム。
【請求項５】
請求項１から請求項４までのいずれか１項に記載の意識システムＳにおいて、
前記基本意識モジュールＳｂにおける主たる前記情報循環路ｃ１における入出力部ａの情報が他の既存システムや他の前記基本意識モジュールＳｂから伝えられることが無い場合は、入力情報￣ａは出力情報￣ｂをそのまま転写する、
ことを特徴とする意識システム。
【請求項６】
請求項１から請求項５までのいずれか１項に記載の意識システムＳにおいて、
副たる情報循環路ｃ２における出力情報￣ｂ’を他の既存システムや他の前記基本意識モジュールＳｂへ出力することを抑制する仕組みは、主たる前記情報循環路ｃ１における入力部ａへ他の既存システムや他の前記基本意識モジュールＳｂから出力抑制の情報が与えられたならば、その時入力部の情報￣ａに抑制信号ｐを付加する手法があり、結果的にその信号ｐを副たる前記情報循環路ｃ２における出力部ｂ’で検出することによって、出力情報を抑制する、
ことを特徴とする意識システム。
【請求項７】
請求項１から請求項５までのいずれか１項に記載の意識システムＳにおいて、
副たる情報循環路ｃ２における出力情報￣ｂ’を他の既存システムや他の前記基本意識モジュールＳｂへ出力することを抑制する仕組みは、主たる前記情報循環路ｃ１における入力部ａへ他の既存システムや他の前記基本意識モジュールＳｂから出力抑制の情報が与えられたならば、その時その情報を入力部ａに接続している装置ｗ１により検出し、その検出信号を情報経路ｑによって出力部ｂ’に接続する装置ｗ２に伝え、結果的に出力を抑制する、
ことを特徴とする意識システム。
【手続補正書】
【提出日】平成21年4月6日(2009.4.6)
【手続補正１】
【補正対象書類名】特許請求の範囲
【補正対象項目名】全文
【補正方法】変更
【補正の内容】
【特許請求の範囲】
【請求項１】
デジタル文書のためのストレージを有する制御システムと、該制御システムに接続されるプリンタ、スキャナ、コピー機などの少なくとも１つの文書処理装置と、各自の電子メールクライアントを有するユーザの複数のワークステーションとから構成され、前記複数のワークステーション及び前記制御システムがネットワークを介した各自の双方向通信手段を有するデジタル文書処理システムにおける文書を処理する方法であって、
前記複数のワークステーションのユーザの１人により所有され、前記少なくとも１つの文書処理装置における処理に関するデジタル文書を文書ストレージに格納及び管理するステップと、
文書電子メールサーバを動作させ、前記制御システムのストレージの各デジタル文書に対し該デジタル文書にリンクされる各自の電子メールアイテムを生成するステップと、
電子メールクライアントが前記文書電子メールサーバのユーザアカウントに関連付けされる専用電子メールフォルダを介し、前記文書電子メールサーバの電子メールアイテムにアクセスすることを可能にするステップと、
オーナーについて対応する電子メールアイテムのデジタル文書ファイルのステータス変更を動的に反映させるため、前記文書電子メールサーバと前記ストレージとを同期させるステップと、
から構成されることを特徴とする方法。
【請求項２】
請求項１記載の方法であって、さらに、
対応するデジタル文書ファイルに対する処理において、電子メールクライアントの専用電子メールフォルダの電子メールアイテムの操作を動的に反映させるため、前記ストレージと前記文書電子メールサーバとを同期させるステップを有することを特徴とする方法。
【請求項３】
複数のワークステーションと、制御システムと、該制御システムに接続されるプリンタ、スキャナ、コピー機などの少なくとも１つの文書処理装置とから構成される文書処理システムであって、
前記複数のワークステーション及び前記制御システムは、ネットワークを介した各自の双方向通信手段を有し、
各ワークステーションは、各自の電子メールクライアントを有し、
前記制御システムは、前記複数のワークステーションのオーナーと呼ばれるユーザに関連付けされ、前記少なくとも１つの文書処理装置における処理に関するデジタル文書ファイルを格納及び管理するストレージと、プログラムによる制御の下、前記デジタル文書ファイルを管理し、前記オーナーに係るデジタル文書ファイルのステータスを前記オーナーに通知するプロセッサとを有し、
前記制御システムは、当該文書電子メールサーバの各電子メールアイテムが前記制御システムのデジタル文書ファイルの少なくとも１つに関連付けされる文書電子メールサーバを有し、
各電子メールクライアントには、前記文書電子メールサーバのユーザアカウントにリンクされる少なくとも１つの専用電子メールフォルダが設けられ、
前記プロセッサは、前記オーナーについて対応する電子メールアイテムのデジタル文書ファイルのステータス変更を動的に反映させるため、前記文書電子メールサーバと前記ストレージとを同期させるよう動作する、
ことを特徴とする文書処理システム。
【請求項４】
請求項３記載の文書処理システムであって、
前記プロセッサはさらに、前記対応するデジタル文書ファイルに対する処理において、電子メールクライアントの専用電子メールフォルダの電子メールアイテムの操作を動的に反映させるため、前記ストレージと前記文書電子メールサーバとを同期させるよう動作することを特徴とする文書処理システム。
【請求項５】
請求項３又は４記載の文書処理システムであって、
電子メールアイテムとデジタル文書は、該電子メールアイテムに該デジタル文書のコピーが添付されることによりリンクされることを特徴とする文書処理システム。
【請求項６】
請求項４記載の文書処理システムであって、
前記プロセッサは、前記文書電子メールサーバの電子メールアイテムの操作を検出し、これに応答して、該操作に応じて前記電子メールアイテムに係るデジタル文書ファイルのステータスを変更するため、前記文書電子メールサーバと同期するよう動作することを特徴とする文書処理システム。
【請求項７】
請求項６記載の文書処理システムであって、
前記プロセッサは、電子メールアイテムがユーザの専用電子メールフォルダに挿入されたと判断すると、前記ストレージにデジタル文書ファイルを生成するよう動作することを特徴とする文書処理システム。
【請求項８】
請求項４記載の文書処理システムであって、
前記少なくとも１つの文書処理装置は、デジタル文書スキャンシステムを有し、
前記プロセッサは、ユーザがスキャンジョブを生成することに応答して、前記スキャンシステムにより生成されるデジタル文書を含む添付を有する電子メールアイテムを前記文書電子メールサーバに生成するよう動作する、
ことを特徴とする文書処理システム。
【請求項９】
請求項３記載の文書処理システムであって、
前記少なくとも１つの文書処理装置は、ローカルユーザインタフェースが設けられるデジタル文書印刷システムを有し、
前記プロセッサは、ユーザが前記ローカルユーザインタフェースにおいて前記デジタル文書に関する印刷ジョブを生成することに応答して、前記ストレージに格納されているデジタル文書のステータスを更新するよう動作する、
ことを特徴とする文書処理システム。
【請求項１０】
請求項３記載の文書処理システムであって、
前記少なくとも１つの文書処理装置は、前記ストレージに格納されているデジタル文書ファイルを操作するために前記制御システムに接続され、デジタル文書ファイルに関する処理を命令するためのローカルユーザインタフェースを有することを特徴とする文書処理システム。
【手続補正書】
【提出日】平成21年6月1日(2009.6.1)
【手続補正１】
【補正対象書類名】特許請求の範囲
【補正対象項目名】全文
【補正方法】変更
【補正の内容】
【特許請求の範囲】
【請求項１】
光を供給する光源と、
前記光源から出射した光を案内する導光板と、を含み、
前記導光板は、
導光板本体と、
前記導光板本体の一面に積層され、前記導光板本体を通じて出射する光の偏光成分を変換させる偏光変換層と、
前記偏光変換層上に積層された偏光分離層と、
を含むバックライトアセンブリ。
【請求項２】
前記偏光変換層は、光のＰ偏光成分をＳ偏光成分とＰ偏光成分とに変換させる、請求項１に記載のバックライトアセンブリ。
【請求項３】
前記偏光変換層は光を複屈折させる、請求項１または２に記載のバックライトアセンブリ。
【請求項４】
前記偏光変換層は補償フィルムである、請求項１から３のいずれかに記載のバックライトアセンブリ。
【請求項５】
前記補償フィルムは、ポリエチレンテレフタレート及びポリエチレンナフタレートからなる群より選択された一つ以上の樹脂を含む、請求項４に記載のバックライトアセンブリ。
【請求項６】
前記導光板本体の一面に、相互離隔して一方向に複数の屈折パターンが突出した、請求項１に記載のバックライトアセンブリ。
【請求項７】
前記屈折パターンの一方向に突出する長さは前記偏光変換層の厚さより大きい、請求項６に記載のバックライトアセンブリ。
【請求項８】
前記光源と前記複数の屈折パターンとは同一の方向にのびている、請求項６または７に記載のバックライトアセンブリ。
【請求項９】
前記偏光変換層は方向によって相異なる複数の屈折率を有する、請求項１から８のいずれかに記載のバックライトアセンブリ。
【請求項１０】
前記複数の屈折率のうちの第１屈折率と第２屈折率との差は０．０１〜０．５０である、請求項９に記載のバックライトアセンブリ。
【手続補正２】
【補正対象書類名】明細書
【補正対象項目名】００１１
【補正方法】削除
【補正の内容】
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００３２
【補正方法】削除
【補正の内容】
【手続補正１８】
【補正対象書類名】明細書
【補正対象項目名】００３３
【補正方法】削除
【補正の内容】
【手続補正１９】
【補正対象書類名】明細書
【補正対象項目名】００３４
【補正方法】削除
【補正の内容】
【手続補正２０】
【補正対象書類名】明細書
【補正対象項目名】００３９
【補正方法】削除
【補正の内容】
【手続補正２１】
【補正対象書類名】明細書
【補正対象項目名】００４０
【補正方法】削除
【補正の内容】
【手続補正２２】
【補正対象書類名】明細書
【補正対象項目名】００４１
【補正方法】削除
【補正の内容】
【手続補正２３】
【補正対象書類名】明細書
【補正対象項目名】００４２
【補正方法】削除
【補正の内容】
【手続補正２４】
【補正対象書類名】明細書
【補正対象項目名】００４３
【補正方法】削除
【補正の内容】
【手続補正２５】
【補正対象書類名】明細書
【補正対象項目名】００４４
【補正方法】削除
【補正の内容】
【手続補正２６】
【補正対象書類名】明細書
【補正対象項目名】００４５
【補正方法】削除
【補正の内容】
【手続補正２７】
【補正対象書類名】明細書
【補正対象項目名】００４６
【補正方法】削除
【補正の内容】
【手続補正２８】
【補正対象書類名】明細書
【補正対象項目名】００４７
【補正方法】削除
【補正の内容】
【手続補正２９】
【補正対象書類名】明細書
【補正対象項目名】００４８
【補正方法】削除
【補正の内容】
【手続補正３０】
【補正対象書類名】明細書
【補正対象項目名】００４９
【補正方法】削除
【補正の内容】
【手続補正３１】
【補正対象書類名】明細書
【補正対象項目名】００５０
【補正方法】削除
【補正の内容】
【手続補正３２】
【補正対象書類名】明細書
【補正対象項目名】００５１
【補正方法】削除
【補正の内容】
【手続補正３３】
【補正対象書類名】明細書
【補正対象項目名】００５２
【補正方法】削除
【補正の内容】
【手続補正３４】
【補正対象書類名】明細書
【補正対象項目名】００５３
【補正方法】削除
【補正の内容】
【手続補正３５】
【補正対象書類名】明細書
【補正対象項目名】００５４
【補正方法】削除
【補正の内容】
【手続補正３６】
【補正対象書類名】明細書
【補正対象項目名】００５５
【補正方法】削除
【補正の内容】
【手続補正３７】
【補正対象書類名】明細書
【補正対象項目名】００５６
【補正方法】削除
【補正の内容】
【手続補正３８】
【補正対象書類名】明細書
【補正対象項目名】００５７
【補正方法】削除
【補正の内容】
【手続補正３９】
【補正対象書類名】明細書
【補正対象項目名】００５８
【補正方法】削除
【補正の内容】
【手続補正４０】
【補正対象書類名】明細書
【補正対象項目名】００５９
【補正方法】削除
【補正の内容】
【手続補正書】
【提出日】平成21年6月9日(2009.6.9)
【手続補正１】
【補正対象書類名】特許請求の範囲
【補正対象項目名】全文
【補正方法】変更
【補正の内容】
【特許請求の範囲】
【請求項１】
凝集ゾーンと、合一ゾーンと、洗浄ゾーンとを含む単一反応容器中でトナーを製造する方法であって、
着色剤とラテックスエマルジョンを約１分〜約５分間凝集させて、凝集したトナー粒子を前記単一反応容器の凝集ゾーン中に形成する工程と、
前記凝集したトナー粒子を前記単一反応容器の合一ゾーン中で約０．５分〜約２分間合一させて、凝集および合一したトナー粒子を形成する工程と、
前記凝集および合一したトナー粒子を前記単一反応容器の洗浄ゾーン中で約１分〜約５分間洗浄し、それによってトナーを形成する工程とを含むことを特徴とする方法。
【請求項２】
請求項１に記載の方法であって、前記凝集ゾーン中の前記着色剤とラテックスエマルジョンが約２０℃〜約５０℃の温度、および約２．５〜約７のｐＨであり、前記合一ゾーン中の前記凝集したトナー粒子が約７０℃〜約９８℃の温度、および約３．５〜約１０のｐＨであり、前記洗浄ゾーン中の前記凝集および合一したトナー粒子が約２０℃〜約６５℃の温度、および約３〜約９のｐＨであることを特徴とする方法。
【請求項３】
請求項１に記載の方法であって、前記ラテックスエマルジョンが、スチレン、アクリレート、メタクリレート、ブタジエン、イソプレン、アクリル酸、メタクリル酸、アクリロニトリル、および場合によってその混合物からなる群から選択されるラテックス粒子を含み、前記凝集および合一したトナー粒子を含む粒子が約１μ〜約２０μの直径を有し、前記着色剤が、ブラック顔料、シアン顔料、マゼンタ顔料、レッド顔料、ブラウン顔料、オレンジ顔料、イエロー顔料、およびその混合物からなる群から選択されることを特徴とする方法。
【請求項４】
請求項１に記載の方法であって、アルカリ土類金属塩および遷移金属塩からなる群から選択される凝集剤を前記凝集ゾーン中の前記ラテックスに加える工程をさらに含むことを特徴とする方法。
【請求項５】
請求項１に記載の方法であって、水酸化ナトリウム、水酸化カリウム、水酸化アンモニウム、水酸化ナトリウム中に溶解したケイ酸ナトリウム、およびその混合物からなる群から選択される金属水酸化物安定化剤を前記合一ゾーン中の前記凝集したトナー粒子に加える工程をさらに含むことを特徴とする方法。
【手続補正書】
【提出日】平成21年5月11日(2009.5.11)
【手続補正１】
【補正対象書類名】特許請求の範囲
【補正対象項目名】全文
【補正方法】変更
【補正の内容】
【特許請求の範囲】
【請求項１】
ディスプレイと、
外光の強度を検出する光センサと、
前記外光の強度に応じて、第１の表示モードと第２の表示モードを切り替えるディスプレイコントローラと、を有し、
前記第１の表示モードにおいて、１フレーム期間は書き込み期間及び表示期間を有するサブフレーム期間を複数有し、前記複数のサブフレーム期間の各表示期間を点灯または非点灯とし、前記１フレーム期間中の点灯時間の総和をもってｎ（ｎは２以上の自然数）ビットの階調を表現し、
前記第２の表示モードにおいて、前記ディスプレイを前記第１の表示モードよりも小さいクロック周波数で動作させ、１フレーム期間中の表示期間を点灯または非点灯とし、前記１フレーム期間中の点灯時間をもって１ビットの階調を表現し、
前記第１の表示モードにおいて、１ゲート選択期間は複数のサブゲート選択期間を有し、前記サブゲート選択期間内に１行分のゲート信号線を選択することにより、前記１ゲート選択期間内に複数のゲート信号線を選択することを特徴とする表示装置。
【請求項２】
請求項１において、
前記第２の表示モードにおける１フレーム期間あたりの表示期間の総和は、前記第１の表示モードにおける１フレーム期間あたりの表示期間よりも長いことを特徴とする表示装置。
【請求項３】
ディスプレイと、
外光の強度を検出する光センサと、
前記外光の強度に応じて、複数の表示モードを切り替えるディスプレイコントローラと、を有し、
前記複数の表示モードは、少なくとも第１の表示モードと第２の表示モードとを有し、
前記第１の表示モードにおいて、１フレーム期間は書き込み期間及び表示期間を有するサブフレーム期間を複数有し、前記複数のサブフレーム期間の各表示期間を点灯または非点灯とし、前記１フレーム期間中の点灯時間の総和をもってｎ（ｎは２以上の自然数）ビットの階調を表現し、
前記第２の表示モードにおいて、前記ディスプレイを前記第１の表示モードよりも小さいクロック周波数で動作させ、１フレーム期間中の表示期間を点灯または非点灯とし、前記１フレーム期間中の点灯時間の総和をもってｍ（ｍはｎよりも小さい自然数）ビットの階調を表現し、
前記第１の表示モードにおいて、１ゲート選択期間は複数のサブゲート選択期間を有し、前記サブゲート選択期間内に１行分のゲート信号線を選択することにより、前記１ゲート選択期間内に複数のゲート信号線を選択することを特徴とする表示装置。
【請求項４】
請求項１乃至請求項３のいずれか一項において、
前記第１の表示モードに切り替えたときの前記外光の強度は、前記第２の表示モードに切り替えたときの前記外光の強度よりも高いことを特徴とする表示装置。
【請求項５】
請求項１乃至請求項４のいずれか一項において、
前記ディスプレイは画素毎に発光素子を有し、
前記第１の表示モードにおいて前記表示期間を点灯とするときに前記発光素子に印加される電圧は、前記第２の表示モードにおいて前記表示期間を点灯とするときに前記発光素子に印加される電圧よりも高いことを特徴とする表示装置。
【請求項６】
請求項１乃至請求項４のいずれか一項において、
前記ディスプレイは画素毎に発光素子を有し、
前記第１の表示モードにおいて前記表示期間を点灯とするときに前記発光素子に供給される電流は、前記第２の表示モードにおいて前記表示期間を点灯とするときに前記発光素子に供給される電流よりも大きいことを特徴とする表示装置。
【請求項７】
請求項１乃至請求項６のいずれか一項において、
前記ディスプレイコントローラは駆動回路用電源制御回路を有し、
前記第２の表示モードにおいて前記駆動回路用電源制御回路から出力される電圧は、前記第１の表示モードにおいて前記駆動回路用電源制御回路から出力される電圧よりも低いことを特徴とする表示装置。
【請求項８】
請求項１乃至請求項７のいずれか一項における前記表示装置を表示部に具備することを特徴とする電子機器。
【手続補正書】
【提出日】平成21年4月23日(2009.4.23)
【手続補正１】
【補正対象書類名】特許請求の範囲
【補正対象項目名】全文
【補正方法】変更
【補正の内容】
【特許請求の範囲】
【請求項１】
複数の画素が配置された画素部と、
前記複数の画素の各々の点灯又は非点灯を制御する信号を信号線に入力する信号線駆動回路と、
前記信号を書き込む画素を選択する走査線駆動回路と、を有し、
前記画素はそれぞれ書き込まれた信号を保存する手段を有し、
前記画素に保存されている信号と、次に前記画素に書き込む信号とが等しいとき、前記画素への前記信号の書き込みを停止する手段を有することを特徴とする表示装置。
【請求項２】
複数の画素が配置された画素部と、
前記複数の画素の各々の点灯又は非点灯を制御する信号を信号線に入力する信号線駆動回路と、
前記信号を書き込む画素を選択する走査線駆動回路路と、を有し、
前記画素はそれぞれ書き込まれた信号を保存する手段を有し、
前記画素に保存されている信号と、次に前記画素に書き込む信号とが等しいとき、前記画素の選択を停止する手段を有することを特徴とする表示装置。
【請求項３】
マトリクス状に複数の画素が配置された画素部と、
前記複数の画素の点灯又は非点灯を制御する信号を信号線に入力する信号線駆動回路と、
前記信号を書き込む画素行を選択する走査線駆動回路と、を有し、
前記画素はそれぞれ書き込まれた信号を保存する手段を有し、
前記画素行に保存されている信号と、次に前記画素行に書き込む信号とが等しいとき、前記画素行への前記信号の書き込みを停止する手段を有することを特徴とする表示装置。
【請求項４】
マトリクス状に複数の画素が配置された画素部と、
前記複数の画素の点灯又は非点灯を制御する信号を信号線に入力する信号線駆動回路と、
前記信号を書き込む画素行を選択する走査線駆動回路と、を有し、
前記画素はそれぞれ書き込まれた信号を保存する手段を有し、
前記画素行に保存されている信号と、次に前記画素行に書き込む信号とが等しいとき、前記画素行の選択を停止する手段を有することを特徴とする表示装置。
【請求項５】
マトリクス状に複数の画素が配置された画素部と、
前記複数の画素の点灯又は非点灯を制御する信号を信号線に入力する信号線駆動回路と、
前記信号を書き込む画素行を選択する走査線駆動回路と、を有し、
前記画素はそれぞれ書き込まれた信号を保存する手段を有し、
前記画素行に保存されている信号と、次に前記画素行に書き込む信号とが等しいとき、前記信号線駆動回路に前記信号の入力を停止させる手段を有することを特徴とする表示装置。
【請求項６】
１フレーム期間を複数のサブフレーム期間に分割して階調を表現する表示装置であって、
マトリクス状に複数の画素が配置された画素部と、
前記複数の画素の点灯又は非点灯を制御する信号を信号線に入力する信号線駆動回路と、
前記信号を書き込む画素行を選択する走査線駆動回路と、を有し、
前記画素はそれぞれ書き込まれた信号を保存する手段を有し、
あるサブフレーム期間において、画素行に書き込む前記信号が、前のサブフレーム期間において前記画素行に書き込まれ、保存されている信号と等しいとき、前記画素行への前記信号の書き込みを停止する手段を有することを特徴とする表示装置。
【請求項７】
１フレーム期間を複数のサブフレーム期間に分割して階調を表現する表示装置であって、
マトリクス状に複数の画素が配置された画素部と、
前記複数の画素の点灯又は非点灯を制御する信号を信号線に入力する信号線駆動回路と、
前記信号を書き込む画素行を選択する走査線駆動回路と、を有し、
前記画素はそれぞれ書き込まれた信号を保存する手段を有し、
あるサブフレーム期間において、画素行に書き込む前記信号が、前のサブフレーム期間において前記画素行に書き込まれ、保存されている信号と等しいとき、前記画素行の選択を停止する手段を有することを特徴とする表示装置。
【請求項８】
１フレーム期間を複数のサブフレーム期間に分割して階調を表現する表示装置であって、
マトリクス状に複数の画素が配置された画素部と、
前記複数の画素の点灯又は非点灯を制御する信号を信号線に入力する信号線駆動回路と、
前記信号を書き込む画素行を選択する走査線駆動回路と、を有し、
前記画素はそれぞれ書き込まれた信号を保存する手段を有し、
あるサブフレーム期間において、画素行に書き込む前記信号が、前のサブフレーム期間において前記画素行に書き込まれ、保存されている信号と等しいとき、前記信号線駆動回路に前記信号の入力を停止させる手段を有することを特徴とする表示装置。
【請求項９】
請求項１乃至請求項８のいずれか一において、
前記信号は、ビデオ信号であることを特徴とする表示装置。
【請求項１０】
請求項１乃至請求項９のいずれか一において、
前記信号は、デジタルビデオ信号であることを特徴とする表示装置。
【請求項１１】
請求項１乃至請求項１０のいずれか一に記載の表示装置と、操作キーとを具備していることを特徴とする電子機器。
【請求項１２】
走査線駆動回路と、
信号線駆動回路と、
前記走査線駆動回路から行方向に伸張して設けられた複数の走査線と、
前記信号線駆動回路から列方向に伸張して設けられた複数の信号線と、
前記走査線及び前記信号線に対応して、マトリクス状に複数の画素が配置された画素部と、を有し、
前記画素はそれぞれ書き込まれた信号を保存する手段を有し、
前記走査線駆動回路は、出力制御回路を有し、
前記出力制御回路は、前記画素行に保存されている信号と、次に前記画素行に書き込む信号とが等しいとき、前記画素行への前記信号の書き込みを停止することを特徴とする表示装置の駆動方法。
【請求項１３】
走査線駆動回路と、
信号線駆動回路と、
前記走査線駆動回路から行方向に伸張して設けられた複数の走査線と、
前記信号線駆動回路から列方向に伸張して設けられた複数の信号線と、
前記走査線及び前記信号線に対応して、マトリクス状に複数の画素が配置された画素部と、を有し、
前記画素はそれぞれ書き込まれた信号を保存する手段を有し、
前記走査線駆動回路は、出力制御回路を有し、
前記出力制御回路は、前記画素行に保存されている信号と、次に前記画素行に書き込む信号とが等しいとき、前記画素行に接続された走査線へ前記画素行を非選択にする信号を入力することを特徴とする表示装置の駆動方法。
【請求項１４】
請求項１２又は請求項１３において、
前記信号は、ビデオ信号であることを特徴とする表示装置の駆動方法。
【請求項１５】
請求項１２乃至請求項１４のいずれか一において、
前記信号は、デジタルビデオ信号であることを特徴とする表示装置の駆動方法。
【手続補正書】
【提出日】平成21年4月21日(2009.4.21)
【手続補正１】
【補正対象書類名】特許請求の範囲
【補正対象項目名】全文
【補正方法】変更
【補正の内容】
【特許請求の範囲】
【請求項１】
ボトムシャーシと、
前記ボトムシャーシ上に配置され、入射面と入射面側に行くほど、上部から下部方向に傾斜するように形成された傾斜部を有する導光板と、
前記導光板の上部に配置され画像を表示する液晶表示パネルと、
前記液晶表示パネルと連結され、前記液晶表示パネルから前記ボトムシャーシの背面に曲げられ固定されるフレキシブル回路基板と、
前記フレキシブル回路基板と電気的に接続され、前記導光板の入射面に配置され光を発生して、発光面が前記導光板の入射面と実質的に対応する少なくとも一つの点光源と、を有し、
前記液晶表示パネルは、画像を表示する表示領域及び該表示領域を取り囲む周辺領域に区分され、
前記傾斜部は前記入射面に隣接し、前記傾斜部と前記入射面は前記周辺領域に対応するように形成されることを特徴とする液晶表示装置。
【請求項２】
前記導光板は、
前記入射面と向かい合う対向面と、
前記入射面の上端から垂直に延長され前記対向面の上端と連結される出射面と、
前記入射面の下端から延長され前記対向面の下端と連結され、前記傾斜部を有する反射面と、を含むことを特徴とする請求項１記載の液晶表示装置。
【請求項３】
前記入射面は、前記対向面より厚い厚さを有することを特徴とする請求項２記載の液晶表示装置。
【請求項４】
前記反射面は、前記対向面の下端から前記出射面と平行に延長され前記傾斜部の上端と連結される第１反射部を含むことを特徴とする請求項２記載の液晶表示装置。
【請求項５】
前記反射面は、前記入射面の下端から前記出射面と平行に延長され前記傾斜部の下端と連結される第２反射部を含むことを特徴とする請求項４記載の液晶表示装置。
【請求項６】
前記傾斜面の下端は、前記入射面の下端と直接連結されることを特徴とする請求項４記載の液晶表示装置。
【請求項７】
前記ボトムシャーシは、前記点光源及び前記傾斜部の収納のために一部が開口されることを特徴とする請求項１記載の液晶表示装置。
【請求項８】
前記導光板の下部に配置され、前記導光板から下部に漏洩する光を反射させる反射シートを更に含むことを特徴とする請求項１記載の液晶表示装置。
【請求項９】
前記導光板の上部に配置され、前記導光板から上部に出射される光の輝度特性を向上させる少なくとも一つの光学シートを更に含むことを特徴とする請求項１記載の液晶表示装置。
【請求項１０】
長方形形状を有し、内部に前記導光板が配置され、前記ボトムシャーシと結合されるモールドフレームを更に含むことを特徴とする請求項１記載の液晶表示装置。
【手続補正２】
【補正対象書類名】明細書
【補正対象項目名】０００９
【補正方法】変更
【補正の内容】
【０００９】
上記目的を達成するためになされた本発明の一特徴による液晶表示装置は、ボトムシャーシと、前記ボトムシャーシ上に配置される導光板と、前記導光板の上部に配置され画像を表示する液晶表示パネルと、前記液晶表示パネルと連結され、前記液晶表示パネルから前記ボトムシャーシの背面に曲げられ固定されるフレキシブル回路基板と、前記フレキシブル回路基板と電気的に接続され、前記導光板の入射面に配置され光を発生する少なくとも一つの点光源と、を有し、前記液晶表示パネルは、画像を表示する表示領域及び該表示領域を取り囲む周辺領域に区分され、前記傾斜部は前記入射面に隣接し、前記傾斜部と前記入射面は前記周辺領域に対応するように形成される。
【手続補正書】
【提出日】平成21年4月24日(2009.4.24)
【手続補正１】
【補正対象書類名】特許請求の範囲
【補正対象項目名】全文
【補正方法】変更
【補正の内容】
【特許請求の範囲】
【請求項１】
行列状に配列されている複数の画素と、
第１周波数の入力映像信号を第２周波数の複数の出力映像信号に変換して出力する信号制御部と、
前記複数の出力映像信号に各々対応する複数の階調電圧集合を生成する階調電圧生成部と、
前記複数の出力映像信号に対応するそれぞれのデータ信号を１つの階調電圧集合の中で選択して前記画素に印加するデータ駆動部と、
を含む表示装置。
【請求項２】
前記画素は前記データ信号に従って輝度が決められ、
前記複数の出力映像信号による光量の合計は前記入力映像信号による光量と同一である、請求項１に記載の表示装置。
【請求項３】
前記複数の出力映像信号は第１出力映像信号と第２出力映像信号とを含み、
前記第１出力映像信号の階調は前記第２出力映像信号の階調より大きいか同じである、請求項１に記載の表示装置。
【請求項４】
前記階調電圧生成部は、前記第１出力映像信号のための第１階調電圧集合と、前記第２出力映像信号のための第２階調電圧集合とを生成する、請求項３に記載の表示装置。
【請求項５】
前記信号制御部は、
前記入力映像信号が記憶されているフレームメモリと、
前記入力映像信号の関数で前記複数の出力映像信号が記憶されており、前記フレームメモリからの入力映像信号に該当する複数の出力映像信号を送出するルックアップテーブルと、
制御信号によって前記ルックアップテーブルからの複数の出力映像データのうちの１つを選択して送出するマルチプレクサーと、
を含む、請求項１に記載の表示装置。
【請求項６】
複数の画素を含む表示装置を駆動する装置であって、
第１周波数の入力映像信号を第２周波数の複数の出力映像信号に変換して出力する信号制御部と、
前記複数の出力映像信号に各々対応する複数の階調電圧集合を生成する階調電圧生成部と、
前記複数の出力映像信号に対応するそれぞれのデータ信号を１つの階調電圧集合の中で選択して前記画素に印加するデータ駆動部と、
を含む表示装置の駆動装置。
【請求項７】
前記入力映像信号が所定階調以下であれば、前記複数の出力映像信号のうちの１つは最低階調を有する、請求項６に記載の表示装置の駆動装置。
【請求項８】
前記複数の出力映像信号は、第１出力映像信号と第２出力映像信号とを含み、
前記第１出力映像信号の階調は前記第２出力映像信号の階調より大きいか同じであり、前記階調電圧生成部は、前記第１出力映像信号のための第１階調電圧集合を生成する第１階調電圧生成器と、前記第２出力映像信号のための第２階調電圧集合を生成する第２階調電圧生成器とを含む、請求項６に記載の表示装置の駆動装置。
【請求項９】
前記第１階調電圧集合と前記第２階調電圧集合とを交互に選択して出力する選択回路をさらに含む、請求項８に記載の表示装置の駆動装置。
【請求項１０】
前記信号制御部は、
前記入力映像信号が記憶されているフレームメモリと、
前記フレームメモリからの前記入力映像信号に基づいて前記第１出力映像信号と前記第２出力映像信号とを送出する映像信号補正部と、
を含む、請求項８に記載の表示装置の駆動装置。
【手続補正書】
【提出日】平成21年4月16日(2009.4.16)
【手続補正１】
【補正対象書類名】特許請求の範囲
【補正対象項目名】全文
【補正方法】変更
【補正の内容】
【特許請求の範囲】
【請求項１】
第１の基板上の第１の電極と、前記第１の電極上の正孔輸送性の有機化合物と酸化モリブデンの混合層と、前記混合層上の液晶層と、前記液晶層上の発光層と、前記発光層上の第２の電極と、前記第２の電極上の第２の基板と、を有し、
前記第１の電極及び前記第２の電極への印加電圧が前記発光層の発光開始電圧よりも低い電圧のときは液晶ディスプレイとして駆動し、
発光開始電圧以上ではエレクトロルミネッセンスディスプレイとして駆動することを特徴とする表示装置。
【請求項２】
第１の基板上の第１の電極と、第１の電極上の発光層と、前記発光層上の液晶層と、前記液晶層上の正孔輸送性の有機化合物と酸化モリブデンの混合層と、前記混合層上の第２の電極と、前記第２の電極上の第２の基板と、を有し、
前記第１の電極及び前記第２の電極への印加電圧が前記発光層の発光開始電圧よりも低い電圧のときは液晶ディスプレイとして駆動し、
発光開始電圧以上ではエレクトロルミネッセンスディスプレイとして駆動することを特徴とする表示装置。
【請求項３】
請求項１又は２において、前記液晶層には正孔輸送性材料が添加されていることを特徴とする表示装置。
【請求項４】
請求項１又は２において、前記混合層及び前記発光層は配向層であることを特徴とする表示装置。
【請求項５】
請求項１において、前記発光層上に電子輸送層又は電子注入層を有し、
前記電子輸送層又は電子注入層上に前記第２の電極を有することを特徴とする表示装置。
【請求項６】
請求項２において、第１の電極上に電子輸送層又は電子注入層を有し、
前記電子輸送層又は電子注入層上に前記発光層を有することを特徴とする表示装置。
【請求項７】
請求項５において、前記電子輸送層又は電子注入層上に正孔輸送性の有機化合物と酸化モリブデンの第２の混合層とを有し、
前記第２の混合層上に前記第２の電極を有することを特徴とする表示装置。
【請求項８】
請求項６において、第１の電極上に正孔輸送性の有機化合物と酸化モリブデンの第２の混合層とを有し、
前記第２の混合層上に前記電子輸送層又は電子注入層を有することを特徴とする表示装置。
【請求項９】
請求項１乃至８のいずれか一において、前記混合層の膜厚は６０ｎｍ以上であることを特徴とする表示装置。
【手続補正書】
【提出日】平成21年4月27日(2009.4.27)
【手続補正１】
【補正対象書類名】明細書
【補正対象項目名】発明の名称
【補正方法】変更
【補正の内容】
【発明の名称】液晶表示装置
【手続補正２】
【補正対象書類名】特許請求の範囲
【補正対象項目名】全文
【補正方法】変更
【補正の内容】
【特許請求の範囲】
【請求項１】
画素部と、ソースドライバと、ゲートドライバとを有し、
デジタル信号とアナログ信号とを外光強度に応じて切り替えて前記ソースドライバに供給することを特徴とする液晶表示装置。
【請求項２】
画素部と、ソースドライバと、ゲートドライバと、ビデオ信号生成回路とを有し、
前記ビデオ信号生成回路は、デジタル信号とアナログ信号とを外光強度に応じて切り替えて前記ソースドライバに供給する機能を有することを特徴とする液晶表示装置。
【請求項３】
画素部と、ソースドライバと、ゲートドライバと、ビデオ信号生成回路とを有し、
前記ビデオ信号生成回路には、アナログ信号が供給され、
前記ビデオ信号生成回路は、前記アナログ信号をデジタル信号に変換して前記ソースドライバに供給する第１の機能と、前記アナログ信号を前記ソースドライバに供給する第２の機能とを有し、
前記ビデオ信号生成回路は、前記第１の機能と前記第２の機能とを外光強度に応じて切り替えることを特徴とする液晶表示装置。
【請求項４】
画素部と、ソースドライバと、ゲートドライバと、ビデオ信号生成回路とを有し、
前記ビデオ信号生成回路には、デジタル信号が供給され、
前記ビデオ信号生成回路は、前記デジタル信号をアナログ信号に変換して前記ソースドライバに供給する第１の機能と、前記デジタル信号のうち最上位ビットの信号を前記ソースドライバに供給する第２の機能とを有し、
前記ビデオ信号生成回路は、前記第１の機能と前記第２の機能とを外光強度に応じて切り替えることを特徴とする液晶表示装置。
【請求項５】
画素部と、ソースドライバと、ゲートドライバと、ビデオ信号生成回路とを有し、
前記ビデオ信号生成回路には、デジタル信号が供給され、
前記ビデオ信号生成回路は、前記デジタル信号をアナログ信号に変換して前記ソースドライバに供給する第１の機能と、前記デジタル信号のうち複数の上位ビットの信号を前記ソースドライバに供給する第２の機能とを有し、
前記ビデオ信号生成回路は、前記第１の機能と前記第２の機能とを外光強度に応じて切り替えることを特徴とする液晶表示装置。
【手続補正書】
【提出日】平成21年4月30日(2009.4.30)
【手続補正１】
【補正対象書類名】特許請求の範囲
【補正対象項目名】全文
【補正方法】変更
【補正の内容】
【特許請求の範囲】
【請求項１】
複数の画素がマトリクス状に配置され、
ソースドライバと、
光センサとアンプとコントローラと、
前記光センサの出力が前記アンプを介して前記コントローラに送られ、前記コントローラからの信号とアナログのビデオ信号が入力される表示モード別ビデオ信号生成回路とを有する表示装置であって、
前記表示モード別ビデオ信号生成回路は、表示モード制御回路と２値化用回路とを有し、
前記コントローラからの入力により前記表示モード制御回路は、
第１の表示モードにおいて、前記ビデオ信号をそのまま前記ソースドライバに出力し、
第２の表示モードにおいて、前記ビデオ信号を前記２値化用回路で処理して前記ソースドライバに出力することを特徴とする表示装置。
【請求項２】
複数の画素がマトリクス状に配置され、
ソースドライバと、
光センサとアンプとコントローラと、
前記光センサの出力が前記アンプを介して前記コントローラに送られ、前記コントローラからの信号とデジタルのビデオ信号が入力される表示モード別ビデオ信号生成回路とを有する表示装置であって、
前記表示モード別ビデオ信号生成回路は、表示モード制御回路とＤＡ変換回路とレベル変換回路とを有し、
前記コントローラからの入力により前記表示モード制御回路は、
第１の表示モードにおいて、前記ビデオ信号を前記ＤＡ変換回路を通して、前記ソースドライバに出力し、
第２の表示モードにおいて、前記ビデオ信号を前記レベル変換回路を通して、前記ソースドライバに出力することを特徴とする表示装置。
【請求項３】
複数の画素がマトリクス状に配置され、
ソースドライバと、
光センサとアンプとコントローラと、
前記光センサの出力が前記アンプを介して前記コントローラに送られ、前記コントローラからの信号とアナログのビデオ信号が入力される表示モード別ビデオ信号生成回路とを有する表示装置であって、
前記表示モード別ビデオ信号生成回路は、表示モード制御回路と２値化用回路と多値化用回路とを有し、
前記コントローラからの入力により前記表示モード制御回路は、
第１の表示モードにおいて、前記ビデオ信号をそのまま前記ソースドライバに出力し、
第２の表示モードにおいて、前記ビデオ信号を前記２値化用回路で処理して前記ソースドライバに出力し、
第３の表示モードにおいて、前記ビデオ信号を前記多値化用回路で処理して前記ソースドライバに出力することを特徴とする表示装置。
【請求項４】
複数の画素がマトリクス状に配置され、
ソースドライバと、
光センサとアンプとコントローラと、
前記光センサの出力が前記アンプを介して前記コントローラに送られ、前記コントローラからの信号とデジタルのビデオ信号が入力される表示モード別ビデオ信号生成回路とを有する表示装置であって、
前記表示モード別ビデオ信号生成回路は、表示モード制御回路とＤＡ変換回路とレベル変換回路と下位ビットデータ除去回路とを有し、
前記コントローラからの入力により前記表示モード制御回路は、
第１の表示モードにおいて、前記ビデオ信号を前記下位ビットデータ除去回路と前記ＤＡ変換回路を通して、前記ソースドライバに出力し、
第２の表示モードにおいて、前記ビデオ信号を前記下位ビットデータ除去回路と前記レベル変換回路を通して、前記ソースドライバに出力することを特徴とする表示装置。
【請求項５】
請求項１乃至４のいずれか一項において、前記表示装置がＥＬディスプレイであることを特徴とする表示装置。
【請求項６】
請求項１乃至５のいずれか一項の表示装置を搭載した電子機器。
【手続補正書】
【提出日】平成21年4月27日(2009.4.27)
【手続補正１】
【補正対象書類名】明細書
【補正対象項目名】発明の名称
【補正方法】変更
【補正の内容】
【発明の名称】表示装置
【手続補正２】
【補正対象書類名】特許請求の範囲
【補正対象項目名】全文
【補正方法】変更
【補正の内容】
【特許請求の範囲】
【請求項１】
画素部と、ソースドライバと、ゲートドライバとを有し、
前記ソースドライバは、デジタル信号とアナログ信号とを外光強度に応じて切り替えて前記画素部に供給する回路を有することを特徴とする表示装置。
【請求項２】
画素部と、ソースドライバと、ゲートドライバとを有し、
前記ソースドライバは、デジタル信号とアナログ信号とを外光強度に応じて切り替えて前記画素部に供給する回路を有し、
前記画素部は、駆動トランジスタ及び発光素子を有し、
前記画素部に前記アナログ信号が供給される場合、前記駆動トランジスタが飽和領域で動作するときに前記発光素子に電流を供給する機能を有することを特徴とする表示装置。
【請求項３】
画素部と、ソースドライバと、ゲートドライバとを有し、
前記ソースドライバは、デジタル信号とアナログ信号とを外光強度に応じて切り替えて前記画素部に供給する回路を有し、
前記画素部は、駆動トランジスタ及び発光素子を有し、
前記画素部に前記アナログ信号が供給される場合、前記駆動トランジスタが飽和領域で動作するときに前記発光素子に電流を供給する機能と、
前記画素部に前記デジタル信号が供給される場合、前記駆動トランジスタが線形領域で動作するときに前記発光素子に電流を供給する機能とを有することを特徴とする表示装置。
【請求項４】
請求項２又は請求項３において、
前記画素部に前記アナログ信号が供給される場合、前記駆動トランジスタを飽和領域にする前に、前記駆動トランジスタにしきい値電圧に満たない電圧を印加することを特徴とする表示装置。
【請求項５】
請求項２乃至請求項４のいずれか一において、
前記発光素子は、第１の電極と、第２の電極と、前記第１の電極と前記第２の電極との間に挟まれた有機化合物を含む層とを有し、
前記画素部に前記アナログ信号が供給される場合と前記デジタル信号が供給される場合とでは、前記第１の電極と前記第２の電極との間の電圧が異なることを特徴とする表示装置。
【手続補正書】
【提出日】平成21年6月12日(2009.6.12)
【手続補正１】
【補正対象書類名】特許請求の範囲
【補正対象項目名】全文
【補正方法】変更
【補正の内容】
【特許請求の範囲】
【請求項１】
第１及び第２領域のうち一方の領域に偏光構造を備えるフォトマスクを、前記フォトマスクの第１及び第２領域に対応する第１及び第２回路領域を備える回路が形成される半導体基板上に位置させるステップと、
前記フォトマスクに第１照明タイプの輻射線を照射し、前記フォトマスクの第１及び第２領域のうち前記偏光構造が形成された領域に対応した前記基板の第１及び第２回路領域のうち一方の回路領域に第２照明タイプの輻射線を入射させ、残りの一方の回路領域に第３照明タイプの輻射線を入射させるステップと、を含むことを特徴とする回路製造用のフォトリソグラフィ方法。
【請求項２】
前記回路は、メモリ回路であることを特徴とする請求項１に記載の回路製造用のフォトリソグラフィ方法。
【請求項３】
前記回路は、ＤＲＡＭ回路であることを特徴とする請求項２に記載の回路製造用のフォトリソグラフィ方法。
【請求項４】
前記第１回路領域はメモリセルを備え、前記第２回路領域は周辺回路を備えることを特徴とする請求項２に記載の回路製造用のフォトリソグラフィ方法。
【請求項５】
前記第１照明タイプと前記第３照明タイプとは、同じであることを特徴とする請求項１に記載の回路製造用のフォトリソグラフィ方法。
【請求項６】
前記第１照明タイプは、等角偏光照明であることを特徴とする請求項１に記載の回路製造用のフォトリソグラフィ方法。
【請求項７】
前記等角偏光照明は、等角偏光クロスポール照明であることを特徴とする請求項６に記載の回路製造用のフォトリソグラフィ方法。
【請求項８】
前記第１照明タイプは、環状照明であることを特徴とする請求項１に記載の回路製造用のフォトリソグラフィ方法。
【請求項９】
前記第２照明タイプの輻射線は、前記第１領域を通過する輻射線から形成されたことを特徴とする請求項１に記載の回路製造用のフォトリソグラフィ方法。
【請求項１０】
前記第１領域は、偏光領域であることを特徴とする請求項９に記載の回路製造用のフォトリソグラフィ方法。
【請求項１１】
前記第３照明タイプは、前記第１照明タイプと同じであることを特徴とする請求項１０に記載の回路製造用のフォトリソグラフィ方法。
【請求項１２】
前記第２照明タイプは、双極照明であることを特徴とする請求項９に記載の回路製造用のフォトリソグラフィ方法。
【手続補正２】
【補正対象書類名】明細書
【補正対象項目名】発明の名称
【補正方法】変更
【補正の内容】
【発明の名称】回路製造用のフォトリソグラフィ方法
【手続補正３】
【補正対象書類名】明細書
【補正対象項目名】０００１
【補正方法】変更
【補正の内容】
【０００１】
本発明は、回路製造用のフォトリソグラフィ方法に係り、さらに具体的には、解像度の増大した回路製造用のフォトリソグラフィ方法に関する。
【手続補正４】
【補正対象書類名】明細書
【補正対象項目名】００２６
【補正方法】変更
【補正の内容】
【００２６】
本発明が解決しようとする技術的課題は、フォトリソグラフィ露光システムにおいて空間解像度を向上させるフォトリソグラフィ方法を提供するところにある。
【手続補正５】
【補正対象書類名】明細書
【補正対象項目名】００２８
【補正方法】削除
【補正の内容】
【手続補正６】
【補正対象書類名】明細書
【補正対象項目名】００２９
【補正方法】削除
【補正の内容】
【手続補正７】
【補正対象書類名】明細書
【補正対象項目名】００３０
【補正方法】削除
【補正の内容】
【手続補正８】
【補正対象書類名】明細書
【補正対象項目名】００３１
【補正方法】削除
【補正の内容】
【手続補正９】
【補正対象書類名】明細書
【補正対象項目名】００３２
【補正方法】削除
【補正の内容】
【手続補正１０】
【補正対象書類名】明細書
【補正対象項目名】００３３
【補正方法】削除
【補正の内容】
【手続補正１１】
【補正対象書類名】明細書
【補正対象項目名】００３４
【補正方法】削除
【補正の内容】
【手続補正１２】
【補正対象書類名】明細書
【補正対象項目名】００３５
【補正方法】削除
【補正の内容】
【手続補正１３】
【補正対象書類名】明細書
【補正対象項目名】００３６
【補正方法】削除
【補正の内容】
【手続補正１４】
【補正対象書類名】明細書
【補正対象項目名】００３７
【補正方法】削除
【補正の内容】
【手続補正１５】
【補正対象書類名】明細書
【補正対象項目名】００３８
【補正方法】削除
【補正の内容】
【手続補正１６】
【補正対象書類名】明細書
【補正対象項目名】００３９
【補正方法】削除
【補正の内容】
【手続補正１７】
【補正対象書類名】明細書
【補正対象項目名】００４０
【補正方法】削除
【補正の内容】
【手続補正１８】
【補正対象書類名】明細書
【補正対象項目名】００４１
【補正方法】削除
【補正の内容】
【手続補正１９】
【補正対象書類名】明細書
【補正対象項目名】００４２
【補正方法】削除
【補正の内容】
【手続補正２０】
【補正対象書類名】明細書
【補正対象項目名】００４３
【補正方法】削除
【補正の内容】
【手続補正２１】
【補正対象書類名】明細書
【補正対象項目名】００４４
【補正方法】削除
【補正の内容】
【手続補正２２】
【補正対象書類名】明細書
【補正対象項目名】００４５
【補正方法】削除
【補正の内容】
【手続補正２３】
【補正対象書類名】明細書
【補正対象項目名】００４６
【補正方法】削除
【補正の内容】
【手続補正２４】
【補正対象書類名】明細書
【補正対象項目名】００４７
【補正方法】削除
【補正の内容】
【手続補正２５】
【補正対象書類名】明細書
【補正対象項目名】００４８
【補正方法】変更
【補正の内容】
【００４８】
本発明は、回路製造用のフォトリソグラフィ方法を提供する。前記方法は、第１及び第２領域のうち一方の領域に偏光構造を備えるフォトマスクを、前記フォトマスクの第１及び第２領域に対応する第１及び第２回路領域を備える回路が形成される半導体基板上に位置させるステップと、前記フォトマスクに第１照明タイプの輻射線を照射し、前記フォトマスクの第１及び第２領域のうち前記偏光構造が形成された領域に対応した前記基板の第１及び第２回路領域のうち一方の回路領域に第２照明タイプの輻射線を入射させ、残りの一方の領域に第３照明タイプの輻射線を入射させるステップと、を含む。
【手続補正２６】
【補正対象書類名】明細書
【補正対象項目名】００５４
【補正方法】削除
【補正の内容】
【手続補正２７】
【補正対象書類名】明細書
【補正対象項目名】００５５
【補正方法】削除
【補正の内容】